(57)【要約】【課題】特定利用者の乗場呼びに応答するかご４が特定利用者の目的とする特定階２に到達するまでの過程において、極力、該当かご４に特定利用者が一般利用者と乗合わすことを未然に防止し、特定利用者及び特定階に対する高い安全性を確保する。【解決手段】各かご４を個別制御する単体制御部１２は、通常時において特定かご呼び禁止部１６にて特定階２に対するかご呼びを禁止する。また、乗場呼びボタン５及びカードリーダ７にて、一般利用者の乗場呼びと特定利用者の乗場呼びとを異なるかご４に割当てる。さらに、かご４に特定利用者の乗場呼びが割当られると、特定かご呼び禁止解除部１７にて該当かご４における特定階２に対するかご呼び禁止を解除するようにしている。【選択図】      図３
2006264843.tif 000002
【特許請求の範囲】
【請求項１】
予め許可された特定利用者のみが利用できる特定階と前記特定利用者及び一般利用者が利用できる一般階とからなる複数の階に対して複数台のエレベータを就役させるとともに、割当制御部にて各階で登録された各乗場呼びを最適のエレベータのかごに割当て、各エレベータの単体制御部にて乗場呼びが割当てられたかごを該当乗場呼び発生階へ応答させ、かつ各かご内に設けられたかご呼び登録手段にて登録されたかご呼びで指定された階へ当該かごを応答させるエレベータの群管理制御装置において、
前記かご呼び登録手段における前記特定階に対するかご呼びを禁止する特定階かご呼び禁止手段と、
各階に設けられ、前記一般利用者の乗場呼びを登録するための一般利用者用乗場呼び登録手段と、
予め定められた階に設けられ、前記特定利用者の乗場呼びを登録するための特定利用者用乗場呼び登録手段と、
前記割当制御部内に設けられ、一般利用者の乗場呼びと特定利用者の乗場呼びとを異なるかごに割当てる個別割当手段と、
前記個別割当手段にて特定利用者の乗場呼びが割当られたかごにおける前記特定階に対するかご呼び禁止を解除するかご呼び禁止解除手段と
を備えたことを特徴とするエレベータの群管理制御装置。
【請求項２】
前記かご呼び禁止解除手段は、前記個別割当手段にて特定利用者の乗場呼びが割当られたかごが当該特定利用者の乗場呼び発生階へ応答した時点に、前記特定階に対するかご呼び禁止を自動解除することを特徴とする請求項１記載のエレベータの群管理制御装置。
【請求項３】
前記かご呼び禁止解除手段は、かご内に設けられた特定利用者認証手段が特定利用者を認証した時点に、前記特定階に対するかご呼び禁止を解除することを特徴とする請求項１記載のエレベータの群管理制御装置。
【請求項４】
前記割当制御部は、同一階に一般利用者の乗場呼びと特定利用者の乗場呼びとが登録された場合、一般利用者の乗場呼びが割当てられたかごが該当階に応答した後に特定利用者の乗場呼びが割当てられたかごが該当階に応答するように、前記各乗場呼びを各かごに割当てる一般呼び優先割当手段を有することを特徴とする請求項１から３のいずれか１項記載のエレベータの群管理制御装置。
【請求項５】
前記各単体制御部は、自己のかごに一般利用者のかご呼びと特定利用者のかご呼びとが登録されている場合、該当かごを一般利用者のかご呼びに応答させた後に特定利用者のかご呼びに応答させる一般かご呼び優先手段を有することを特徴とする請求項１から３のいずれか１項記載のエレベータの群管理制御装置
【請求項６】
前記各単体制御部は、自己のかごに特定利用者の乗場呼びが割当てられると、現在時点で自己のかご呼び登録手段にて登録されたかご呼びに応答した後に、前記特定利用者の乗場呼びに応答するかご呼び応答優先手段を有することを特徴とする請求項１から５のいずれか１項記載のエレベータの群管理制御装置。
【請求項７】
前記各単体制御部は、かごを特定利用者の乗場呼び発生階へ応答させた後、戸を開放状態とし、自己のかご呼び登録手段における一般階に対するかご呼びを禁止し、前記特定利用者認証手段が特定利用者を認証し、前記かご呼び登録手段における特定階に対するかご呼びが登録された時点で、戸を閉じ、特定階に対するかご呼びに応答させる一般かご呼び一時禁止手段を有することを特徴とする請求項３から６のいずれか１項記載のエレベータの群管理制御装置。
【請求項８】
前記割当制御部は、特定利用者の乗場呼びを割当てたかごに前記かご呼び登録手段にて特定階のかご呼びが登録されたとき、該当かごが前記特定階に応答するまでの間、乗場呼び発生階から前記特定階までの各階における一般利用者の乗場呼びを他のかごに割当てる割当制限手段を有することを特徴とする請求項３から６のいずれか１項記載のエレベータの群管理制御装置。
【請求項９】
前記割当制御部は、特定利用者の乗場呼びを割当てたかごに前記かご呼び登録手段にて特定階のかご呼びが登録されたとき、該当かごが前記特定階に応答するまでの間、乗場呼び発生階から前記特定階までの階における一般利用者の乗場呼び及び特定利用者の乗場呼びを他のかごに割当てる割当制限手段を有することを特徴とする請求項３から６のいずれか１項記載のエレベータの群管理制御装置。
【請求項１０】
前記割当制御部は、特定利用者の乗場呼びをかごに割当てた時点で、該当かごに対する一般利用者の乗場呼び及び他の特定利用者の乗場呼びの割当を禁止し、
該当かごの単体制御部は、該当かごを、この時点で割当てられている全ての乗場呼び及びかご呼びに応答させたのち、前記特定利用者の乗場呼びに応答させ、かつ新たに発生したかご呼びに応答させる
ことを特徴とする請求項３記載のエレベータの群管理制御装置。
【発明の詳細な説明】
【技術分野】
【０００１】
本発明は、予め許可された特定利用者のみが利用できる特定階と特定利用者及び一般利用者が利用できる一般階とからなる複数の階に対して複数台のエレベータを就役させるエレベータの群管理制御装置に係わり、特に特定階へ特定利用者以外の一般利用者が容易に立ち入れないようにしたエレベータの群管理制御装置に関する。
【背景技術】
【０００２】
ビルのなかには、予め許可された特定利用者のみが利用できる特定階を一般利用者が利用できる一般階と区別して設けている場合がある。この特定階へ特定利用者以外の一般利用者が容易に立ち入れないようなセキュリティ（安全性、機密保持性）機能が組込まれたエレベータシステムの一例が特許文献１、特許文献２に提唱されている。
【０００３】
特許文献１の「エレベータ呼び登録装置」においては、特定人は建屋の入口に設けられた玄関ドアを例えばＩＤカード等を用いて開くと、自動的にエレベータホールにおける乗場呼びが登録され、かつこの乗場呼びに応答したエレベータのかごにおいて、特定人の居住階である特定階に対するかご呼びが自動登録される。したがって、この建屋の特定階、及びこの特定階に居住する特定人に対する安全性と、特定人に対するサービスを向上できる。
【０００４】
また、特許文献２の「エレベータの制御装置」においては、建物の出入り口扉を開けるための第１釦とエレベータの乗場呼びを登録する第３釦に各々特定の操作を要求し、正常に操作した人のみがエレベータを利用できる方式が提案されている。
【０００５】
また一般的にはエレベータの安全性を確保する手法として下記２つの手法が採用されている。  
第１の手法においては、安全性を確保するため、通常状態においてかご呼びボタンにおける特定階に対するかご呼びを禁止しておき、特定階の利用を許可された特定利用者は、乗場呼びを登録してエレベータに乗り込み、かご内でこのかご内に設けられたカードリーダに自己が所持するＩＤカードを挿入する事により、一定時間特定階に対するかご呼び禁止を解除する。
【０００６】
第２の手法においては、通常状態においてかご呼びボタンにおける特定階に対するかご呼びを禁止しておき、エレベータホールにカードリーダを取付け、特定利用者はカードリーダに自己が所持するＩＤカードを挿入する事により、乗場呼びが自動登録され、割当てられたかご（エレベータ）に乗込むと、自動的に特定階に対するかご呼び禁止が解除されるか、若しくは自動的に特定階に対するかご呼びが登録される。
【特許文献１】特開２００３−１０４６３３号公報
【特許文献２】特開平６−１４４７１６号公報
【発明の開示】
【発明が解決しようとする課題】
【０００７】
しかしながら特許文献１や特許文献２においては、エレベータを利用するのは全て特定階に対するかご呼び禁止を解除できる乗客であることを前提にされており、エレベータホールに特定階を利用する特定利用者と、特定階以外の一般階を利用する一般利用者とが存在する場合については考慮されていない。
【０００８】
また一般的な安全性を確保する上述した手法１においては、特定利用者と一般利用者とを別のかごに分ける制御をしていないため、同じかごに特定利用者と一般利用者とが乗合わせる場合がある。ここで例えば、かごが特定階に一般階よりも先に応答し、悪意を持った一般利用者は、特定階にてかご内の戸開ボタンを押しつづけ、特定利用者がエレベータホールからいなくなったのを見計らって、特定階に降車する事で、容易に特定階に対する安全性が破られてしまう。
【０００９】
また、上述した手法２においては、特定利用者の操作に応じて乗場呼びを特定のかごに割当てた後、例えばかご呼び先着などで、別のかごが先に該当階へ到着してしまい、特定利用者が誤って別のかごに乗車してしまうと、その後に応答する正規のかごに一般利用者が乗込むことで容易に特定階に対する安全性が破られてしまう。
【００１０】
本発明はこのような事情に鑑みてなされたものであり、極力同一かごに特定利用者と一般利用者とが乗合わすことを防止でき、特定利用者及び特定階に対する高い安全性を確保できるエレベータの群管理制御装置を提供することを目的とする。
【課題を解決するための手段】
【００１１】
上記課題を解消するために、本発明は、予め許可された特定利用者のみが利用できる特定階と特定利用者及び一般利用者が利用できる一般階とからなる複数の階に対して複数台のエレベータを就役させるとともに、割当制御部にて各階で登録された各乗場呼びを最適のエレベータのかごに割当て、各エレベータの単体制御部にて乗場呼びが割当てられたかごを該当乗場呼び発生階へ応答させ、かつ各かご内に設けられたかご呼び登録手段にて登録されたかご呼びで指定された階へ当該かごを応答させるエレベータの群管理制御装置において、かご呼び登録手段における特定階に対するかご呼びを禁止する特定階かご呼び禁止手段と、各階に設けられ、一般利用者の乗場呼びを登録するための一般利用者用乗場呼び登録手段と、予め定められた階に設けられ、特定利用者の乗場呼びを登録するための特定利用者用乗場呼び登録手段と、割当制御部内に設けられ、一般利用者の乗場呼びと特定利用者の乗場呼びとを異なるかごに割当てる個別割当手段と、個別割当手段にて特定利用者の乗場呼びが割当られたかごにおける特定階に対するかご呼び禁止を解除するかご呼び禁止解除手段とを備えている。
【００１２】
このように構成されたエレベータの群管理制御装置においては、一般利用者の乗場呼びを登録するための一般利用者用乗場呼び登録手段と、特定利用者の乗場呼びを登録するための特定利用者用乗場呼び登録手段とが設けられている。そして、特定利用者は、特定利用者用乗場呼び登録手段を用いて自己の乗場呼びを登録できる。したがって、一般利用者の乗場呼びと特定利用者の乗場呼びとを異なるかごに割当てることができる。
【００１３】
また、通常は、各かご内に設けられたかご呼び登録手段における特定階に対するかご呼びが禁止されており、特定利用者が、自己が登録した乗場呼びに応答するかごに乗込んだ時点で特定階に対するかご呼び禁止が解除される。したがって、特定階には、特定利用者の乗場呼びが割当てられ、かつ特定利用者が乗車しているかごしか停止しないので、特定階に対する高い安全性を確保できる。
【００１４】
なお、特定階に対するかご呼び禁止の解除のタイミングと具体的手法として、個別割当手段にて特定利用者の乗場呼びが割当られたかごが当該特定利用者の乗場呼び発生階へ応答した時点に、特定階に対するかご呼び禁止を自動解除すること、又は、かご内に設けられた特定利用者認証手段が特定利用者を認証した時点に、特定階に対するかご呼び禁止を解除すること等が選択可能である。
【００１５】
また、別の発明において、上述した発明のエレベータの群管理制御装置における割当制御部は、同一階に一般利用者の乗場呼びと特定利用者の乗場呼びとが登録された場合、一般利用者の乗場呼びが割当てられたかごが該当階に応答した後に特定利用者の乗場呼びが割当てられたかごが該当階に応答するように、前記各乗場呼びを各かごに割当てる一般呼び優先割当手段を有する。
【００１６】
特定利用者の乗場呼びと一般利用者の乗場呼びが共に登録された状態で、特定利用者の乗場呼びが割当てられたかごがこの乗場呼び発生階に先着してしまうと、一般利用者もそのかごに乗込んできてしまうという問題がある。
【００１７】
そこで、このように構成されたエレベータの群管理制御装置においては、一般利用者の乗場呼びが割当てられたかごが該当階に応答した後に特定利用者の乗場呼びが割当てられたかごが該当階に応答するように、各乗場呼びを各かごに割当てる一般呼び優先割当手段を採用しているので、特定利用者の乗場呼びが割当てられたかごに一般利用者が乗り込むことが極力防止できる。
【００１８】
また、別の発明において、上述した発明のエレベータの群管理制御装置における各単体制御部は、自己のかごに一般利用者のかご呼びと特定利用者のかご呼びとが登録されている場合、該当かごを一般利用者のかご呼びに応答させた後に特定利用者のかご呼びに応答させる一般かご呼び優先手段を有する。
【００１９】
このように構成されたエレベータの群管理制御装置においても、たとえ、同一かごに特定利用者のかご呼びと一般利用者のかご呼びが登録されたとしても、必ず先に一般利用者のかご呼びに応答するので、一般利用者がかごから降車した後に、定利用者のかご呼びに応答するので、定利用者が例えば特定階で降車するとき一般利用者が定利用者の後から特定階で降車することが防止される。
【００２０】
また、別の発明において、上述した発明のエレベータの群管理制御装置における各単体制御部は、自己のかごに特定利用者の乗場呼びが割当てられると、現在時点で自己のかご呼び登録手段にて登録されたかご呼びに応答した後に、特定利用者の乗場呼びに応答するかご呼び応答優先手段を有する。
【００２１】
かごに特定利用者の乗場呼びが割当てられると、このかごに既に一般利用者が乗車中でかご呼びが登録されている場合、特定利用者と一般利用者との乗合わせが生じてしまう。しかし、この場合、登録されているかご呼びに応答した後に、特定利用者の乗場呼びに応答するので、上述した特定利用者と一般利用者との乗合わせが生じることが未然に防止できる。
【００２２】
また、別の発明において、上述した発明のエレベータの群管理制御装置における各単体制御部は、かごを特定利用者の乗場呼び発生階へ応答させた後、戸を開放状態とし、自己のかご呼び登録手段における一般階に対するかご呼びを禁止し、特定利用者認証手段が特定利用者を認証し、かご呼び登録手段における特定階に対するかご呼びが登録された時点で、戸を閉じ、特定階に対するかご呼びに応答させる一般かご呼び一時禁止手段を有する。
【００２３】
特定利用者の乗場呼びを登録してかごが応答した時点で、その階に一般利用者が来た場合、一般利用者は一般利用者の乗場呼びを登録せず、到着した特定利用者のかごに乗込んでしまうという問題がある。そこで、上述したように、特定利用者の乗場呼び応答後、戸開放とし、一般階に対するかご呼びを禁止とすることにより、たとえ一般利用者が該当かごに乗込んだとしてもかご呼びが登録できない。よって、一般利用者はこのかごから出て、改めて一般利用者の乗場呼びを登録して別のかごに乗車しなければならない。したがって、より確実に特定利用者と一般利用者との同一かごに対する乗合わせを防止する事ができる。
【００２４】
また、別の発明において、上述した発明のエレベータの群管理制御装置における割当制御部は、特定利用者の乗場呼びを割当てたかごにかご呼び登録手段にて特定階のかご呼びが登録されたとき、該当かごが特定階に応答するまでの間、乗場呼び発生階から特定階までの各階における一般利用者の乗場呼びを他のかごに割当てる割当制限手段を有する。
【００２５】
特定利用者のかご呼びに応答中のかごに一般利用者の乗場呼びを割当ててしまうと、一般利用者が特定利用者のかご呼びに対する応答前にかごに乗込んでしまう。そこで、前述したように、特定利用者のかごが特定階に到着するまでの階における一般利用者の乗場呼びを他のかごに割当てることにより、より確実に特定利用者と一般利用者との同一かごに対する乗合わせを防止する事ができる。
【００２６】
また、別の発明において、上述した発明のエレベータの群管理制御装置における割当制御部は、特定利用者の乗場呼びを割当てたかごにかご呼び登録手段にて特定階のかご呼びが登録されたとき、該当かごが特定階に応答するまでの間、乗場呼び発生階から特定階までの階における一般利用者の乗場呼び及び特定利用者の乗場呼びを他のかごに割当てる割当制限手段を有する。
【００２７】
このように構成されたエレベータの群管理制御装置においては、特定利用者のかごが特定階に到着するまでの途中階における一般利用者の乗場呼び及び他の特定利用者の乗場呼びを他のかごに割当てることにより、特定利用者は、一般利用者のみならず他の特定利用者についても、同一かごに対する乗合わせを防止する事ができる。
【００２８】
また、別の発明において、上述した発明のエレベータの群管理制御装置における割当制御部は、特定利用者の乗場呼びをかごに割当てた時点で、該当かごに対する一般利用者の乗場呼び及び他の特定利用者の乗場呼びの割当を禁止する。また、該当かごの単体制御部は、該当かごを、この時点で割当てられている全ての乗場呼び及びかご呼びに応答させたのち、特定利用者の乗場呼びに応答させ、かつ新たに発生したかご呼びに応答させる。
【００２９】
このように構成されたエレベータの群管理制御装置においては、特定利用者は、他の特定利用者を含む他の利用者と同一かごに乗合わせることなく目的とする特定階にたどり着くことが可能となる。
【発明の効果】
【００３０】
本発明においては、通常時において特定階に対するかご呼びを禁止し、一般利用者用乗場呼び登録手段及び特定利用者用乗場呼び登録手段を設け、一般利用者の乗場呼びと特定利用者の乗場呼びとを異なるかごに割当てる。さらに、特定利用者の乗場呼びが割当られたかごにおける特定階に対するかご呼び禁止を解除するようにしている。
【００３１】
したがって、特定利用者の乗場呼びに応答するがごが特定利用者の目的とする特定階に到達するまでの過程において、極力、該当かごに特定利用者が一般利用者と乗合わすことを未然に防止でき、特定利用者及び特定階に対する高い安全性を確保できる。
【発明を実施するための最良の形態】
【００３２】
以下、本発明の各実施形態を図面を用いて説明する。
【００３３】
（第１実施形態）
図１は本発明の第１実施形態に係わるエレベータの群管理制御装置が組込まれたエレベータシステムが設置されるビルの構成図である。このビル１は、９階建てであり、４Ｆ（階）、６Ｆ（階）、７Ｆ（階）、８Ｆ（階）が予め許可された特定利用者のみが利用できる特定階２であり、その他の１Ｆ（階）、２Ｆ（階）、３Ｆ（階）、５Ｆ（階）、９Ｆ（階）が特定利用者及び一般利用者が利用できる一般階３である。
【００３４】
また、このビル１には、４台のエレベータが就役しており、各エレベータのかご４が１階から９階までの各階相互間を移動する。ビル１の各階のエレベータホールには、エレベータ待ちの一般利用者がエレベータを呼ぶための一般利用者用乗場呼び登録手段としての乗場呼びボタン５が取付けられている。また、ビル１の各階又は選択された階のエレベータホールには、エレベータ待ちの前述した特定利用者がエレベータを呼ぶための特定利用者用乗場呼び登録手段としてのカードリーダ７が取付けられている。
【００３５】
特定利用者用乗場呼び登録手段としてのカードリーダ７は、特定利用者が所持しているＩＤカードに記憶された情報を読取る。特定利用者はＩＤカードをカードリーダ７に挿入するとともに上方又は下方の方向を操作入力する。なお、カードリーダ７の他に、指紋等の個人認証装置も採用することが可能である。このように、特定利用者用乗場呼び登録手段は、特定利用者のみが乗場呼びを登録することが可能である。
【００３６】
また、ビル１の各階のエレベータホールには、該当階の一般利用者の乗場呼びに対して、この一般利用者の乗場呼びが割当てられたかご４が該当階に到着することを予告する応答予報を行う応答予報灯６が設けられている。
【００３７】
図２に示すように、各かご４内には利用者が乗り降りする戸（扉）８とこのかご４に乗車した利用者（乗客）が自己の行き先階を登録するかご呼びボタン９が設けられている。さらに、この実施形態においては、このかご４に乗込んだ特定利用者を認証する指紋採取等を利用した個人認証装置１０が設けられている。個人認証装置１０が指紋採取等を利用してかご４に乗込んだ特定利用者を認証すると、後述するように、特定階２に対するかご呼び禁止が解除される。したがって、一般利用者は特定階２に対するかご呼びを登録できないので、特定階２に対する安全性が確保できる。
【００３８】
図３は、本発明の第１実施形態に係わるエレベータの群管理制御装置の概略構成図である。例えばコンピユータで構成された第１実施形態のエレベータの群管理制御装置は、大きく分けて、１つの割当制御部１１と各エレベータ（かご４）毎に設けられた複数の単体制御部１２とで構成されている。割当制御部１１内には、特定利用割当部１３と一般利用割当部１４と一般呼び優先割当部１５とが設けられている。一方、各単体制御部１２内には、特定かご呼び禁止部１６、特定かご呼び禁止解除部１７、かご呼び応答優先部１８、一般かご呼び優先部１９が設けられている。
【００３９】
一般利用割当部１４は、一般利用者にて各階のエレベータホールで乗場呼びボタン５にて乗場呼びが登録されると、この一般利用者の乗場呼びの発生（登録）階や、この一般利用者の行きたい方向（上方又は下方）と、特定利用者の乗場呼びが割当てられていない各エレベータ（各かご４）に既に割当てられているかご呼び又は乗場呼びの状況を各単体制御部１２から取得する。そして、一般利用割当部１４は、各かご４に当該乗場呼びを割当てた場合における乗場呼びの発生階に対する各かご４の到着予想時間を算出して、最も運行効率の良い（例えば、到着予想時間が最も短い）かご４を選択し、そのかご４に対して前記登録された一般利用者の乗場呼びの割当てを行い、該当かご４の単体制御部１２へ前記乗場呼びの割当て通知を出力する。
【００４０】
一方、特定利用割当部１３は、特定利用者にて各階のエレベータホールでカードリーダ７にて乗場呼びが登録されると、この特定利用者の乗場呼びの発生（登録）階や、この特定利用者の行きたい方向（上方又は下方）と、一般利用者の乗場呼びが割当てられていない各エレベータ（各かご４）に既に割当てられているかご呼び又は乗場呼びの状況を各単体制御部１２から取得する。そして、特定利用割当部１３は、各かご４に当該乗場呼びを割当てた場合における乗場呼びの発生階に対する各かご４の到着予想時間を算出して、最も運行効率の良い（例えば、到着予想時間が最も短い）かご４を選択し、そのかご４に対して前記登録された特定利用者の乗場呼びの割当てを行い、該当かご４の単体制御部１２へ前記乗場呼びの割当て通知を出力する。
【００４１】
このように、この実施形態においては、一般利用者の乗場呼びと特定利用者の乗場呼びとを異なるかご４に割当てるようにしている。
【００４２】
一般呼び優先割当部１５は、図４に示すように、同一階に一般利用者の乗場呼びと特定利用者の乗場呼びとが登録された場合、一般利用者の乗場呼びが割当てられたかご４が該当階に応答した後に特定利用者の乗場呼びが割当てられたかご４が該当階に応答するように、各乗場呼びを各かご４に割当てる。
【００４３】
各単体制御部１２は、基本的に、(a)自己のかご４の動作状態を監視する。(b)自己のかご４に乗場呼びが割当てられると該当かご４を乗場呼び発生階へ応答（移動して戸８を開放）させる。(c)かご呼びボタン９で登録されたかご呼びの指定する階へかご４を応答（移動して戸８を開放）させる。(d)一般利用者の乗場呼びが割当てられたかご４が該当階に到着することを応答予報灯６で予報する。なお、特定利用者の乗場呼びが割当てられたかご４に対しては応答予報灯６を点灯しない。
【００４４】
単体制御部１２に設けられた特定かご呼び禁止部１６は、かご呼びボタン９で前記特定階２に対するかご呼びを禁止する。具体的には、かご４を特定階２に対するかご呼びに応答させない。特定かご呼び禁止解除部１７は、個人認証装置１０が指紋採取等を利用して、かご４に乗込んだ特定利用者を認証すると、特定階２に対するかご呼び禁止を解除する。
【００４５】
このように、特定利用者のみが特定階２に対するかご呼び禁止を解除して、かご呼びボタン９で特定階２へのかご呼びを登録して、かご４を特定階２に応答させることができる。よって、特定階２には、特定利用者のみが行くことができ、一般利用者は行くことができないので、特定階２の安全性が確保される。
【００４６】
かご呼び応答優先部１８は、図５に示すように、自己のかご４に特定利用者の乗場呼びが割当てられると、自己のかご４を、現在時点で自己のかご呼びボタン９にて登録されたかご呼びに応答させた後に、上述した特定利用者の乗場呼びに応答させる。
【００４７】
一般かご呼び優先部１９は、図５に示すように、自己のかご４に一般利用者のかご呼びと特定利用者のかご呼びとが登録されている場合、該当かご４を一般利用者のかご呼びに応答させた後に特定利用者のかご呼びに応答させる。
【００４８】
図４は割当制御部１１における各乗場呼びの割当動作を示す流れ図である。  
先ず、新規に乗場呼びボタン５の操作による一般利用者の乗場呼びの登録があれば（ステップＳ１）、この時点で、既にカードリーダ７を用いた同一階の特定利用者の乗場呼びが登録され、さらに特定利用割当部１３でこの特定利用者の乗場呼びがかご４に割当られているか否かを判断する（Ｓ２）。特定利用者の乗場呼びがかご４に割当られている場合には、特定利用者の乗場呼びのかご４は、その乗場呼び発生（登録）階への応答時間（予測到着時間）が最短のかご４かどうかを判断する（Ｓ３）。
【００４９】
最短のかご４であれば（Ｓ３）、特定利用者の乗場呼びを、予測到着時間の次に短いかご４に割当て変更し、今回の一般利用者の乗場呼びを到着時間最短のかご４に割当てる（Ｓ４）。この処理により、特定利用者の乗場呼びの割当かご４よりも一般利用者の乗場呼びの割当てかご４を先に乗場呼び発生階に応答させることができる。
【００５０】
最短のかご４でなければ（Ｓ３）、今回の一般利用者の乗場呼びを、特定利用者の乗場呼びの割当かご４より到着時間の短いかご４の中から全体の効率を考慮したかご４を割当てる（Ｓ５）。
【００５１】
また、特定利用者の乗場呼びがかご４に割当られていない場合には（Ｓ２）、今回の一般利用者の乗場呼びを、一般利用割当部１４を用いて、特定利用者の乗場呼びが割当られていない全てのかご４の中から、全体の効率を考慮したかご４選定して割当てる（Ｓ６）。
【００５２】
このように、特定利用者の乗場呼びのかご４よりも一般利用者の乗場呼びのかご４を先に応答させる事により、一般利用者が誤って特定利用者の乗場呼びのかご４に乗車してしまうのを未然に防止することができる。
【００５３】
図５は各単体制御部１２における自己のかご４に対する制御動作を示す流れ図である。
【００５４】
割当制御部１１から、新規に、自己のかご４に特定利用者の乗場呼びの割当て情報が入力すると（ステップＱ１）、この時点で、このかご４に対して、特定利用者の乗場呼びの割当て以外に、かご呼びボタン９操作による同一階以外のかご呼び登録があるかを判断する（Ｑ２）。かご呼び登録がある場合は（Ｑ２）、該当かご４を特定利用者の乗場呼び発生階に応答させるのを一時停止して、該当かご４を先に全てのかご呼びに応答（かご呼びの指定階へ移動）させる。その後、該当かご４を特定利用者の乗場呼び発生階に応答させる（Ｑ３）。
【００５５】
なお、Ｑ２にて特定利用者の乗場呼びの階に対する一般利用者のかご呼びがある場合を除いた理由は、一般利用者はかご呼びに応答後、降車してしまうので、特定利用者との乗り合わせは起こらないと判断したためである。
【００５６】
Ｑ２にて特定利用者の乗場呼びのある階以外にかご呼びがない場合は、直ちに該当かご４を特定利用者の乗場呼び発生階に応答させる（Ｑ４）。
【００５７】
特定利用者の乗場呼びに応答して、該当かご４を乗場呼び発生階へ到着させて、戸８を開放して、このかご４に乗込んだ特定利用者が個人認証装置１０で認証操作を実施すると（Ｑ５）、特定階２に対するかご呼び禁止を解除する（Ｑ６）。その後、特定利用者がかご呼びボタン９で例えば特定階２に対するかご呼びを登録すると（Ｑ７）、該当かご４をかご呼びに応答（かご呼びの指定階へ移動）させる（Ｑ８）。
【００５８】
このようにかご４の応答を制御することで、特定利用者は一般利用者と同一かご４に乗合わせることを未然に防止する事ができる。したがって、特定利用者及び特定階２の安全性をより一層向上できる。
【００５９】
（第２実施形態）
図６は本発明の第２実施形態に係わるエレベータの群管理制御装置の概略構成図である。図３に示す本発明の第１実施形態に係わるエレベータの群管理制御装置と同一部分には同一符号を付して重複する部分の重複説明を省略する。なお、このエレベータの群管理制御装置が組込まれたエレベータシステムが設置されたビル１の構成、及び各エレベータのかご４の構成は、図１、図２の構成と同じである。
【００６０】
この第２実施形態に係わるエレベータの群管理制御装置の割当制御部１１内には、特定利用割当部１３と一般利用割当部１４と一般呼び優先割当部１５と割当制限部２０とが設けられている。一方、各単体制御部１２内には、特定かご呼び禁止部１６、特定かご呼び禁止解除部１７、一般かご呼び一時停止部２１、一般かご呼び優先部１９が設けられている。
【００６１】
割当制限部２０は、図７に示すように、特定利用割当部１３が特定利用者の乗場呼びを割当てたかご４にかご呼びボタン９にて特定階２のかご呼びが登録されたとき、該当かご４が特定階２に応答するまでの間、乗場呼び発生階から特定階２までの途中階における一般利用者の乗場呼び及び特定利用者の乗場呼びを他のかご４に割当てる。なお、一般利用者の乗場呼びのみを他のかご４に割当てることも可能である。
【００６２】
一般かご呼び一時停止部２１は、図８に示すように、かご４を特定利用者の乗場呼び発生階へ応答させた後、戸８を開放状態とし、かご呼びボタン９で一般階３のかご呼びを禁止し、個人認証装置１０が特定利用者を認証し、かご呼びボタン９で特定階２に対するかご呼びが登録された時点で、戸８を閉じ、特定階２に対するかご呼びに応答させる。
【００６３】
図７は割当制御部１１における各乗場呼びの割当動作を示す流れ図である。  
先ず、カードリーダ７を用いた新規の特定利用者の乗場呼びの登録があれば（ステップＲ１）、特定利用割当部１３にて一般利用者の乗場呼びが割当てられていないかご４に割当てる（Ｒ２）。そして、特定利用者にて特定階２のかご呼びが登録されたことを該当かご４の単体制御部１２から受領すると（Ｒ３）、特定利用者の乗場呼び発生階から特定階２までの途中階において特定利用者又は一般利用者の乗場呼びが登録され（Ｒ４）、かつ、該当かご４が特定階２に応答（到達）していない場合は（Ｒ５）、この途中階の乗場呼びを該当かご４以外の他のかご４に割当てる（Ｒ６）。
【００６４】
一方、特定利用者の乗場呼び発生階から特定階２までの途中階において乗場呼びが登録され（Ｒ４）、かつ、該当かご４が特定階２に応答（到達）終了している場合は（Ｒ５）、特定利用割当部１３又は一般利用割当部１４にて、この途中階の乗場呼びを該当かご４を含めて最良のかご４に割当てる（Ｒ７）。
【００６５】
このように、特定利用者のかご４が特定階２に到着するまでの途中階における一般利用者の乗場呼び及び他の特定利用者の乗場呼びを、他のかご４に割当てる割当制御を実施することによって、特定利用者は、一般利用者のみならず他の特定利用者についても、同一かご４に対する乗合わせを防止する事ができる。
【００６６】
図８は各単体制御部１２における自己のかご４に対する制御動作を示す流れ図である。
【００６７】
割当制御部１１から新規に自己のかご４に対する特定利用者の乗場呼びの割当て情報が入力し、このかご４を特定利用者の乗場呼びの発生階に応答（到着）させると（Ｐ１）、該当かご４の戸８を開放とし（Ｐ２）、かご呼びボタン９を用いた一般階３に対するかご呼びを一時禁止状態とする（Ｐ３）。
【００６８】
次に、特定利用者が個人認証装置１０に自己を認証させ、特定階２に対するかご呼び禁止を解除して（Ｐ４）、特定利用者がかご呼びボタン９で特定階２に対するかご呼びを登録された時点で、該当かご４の戸８を閉じ、該当かご４を特定階２へ出発させる（Ｐ５）。
【００６９】
その後、該当かご４内において、仮に、かご呼びボタン９を用いた一般階３に対するかご呼びが登録されたとしても（Ｐ６）、該当かご４をこの一般階３に対するかご呼びの指定する一般階３へ応答（移動）させた後（Ｐ７）、該当かご４を特定階２へ応答（移動）させる（Ｐ８）。
【００７０】
Ｐ４にてかご呼び登録認証されない場合は、Ｐ２に戻り戸開放状態で、Ｐ３にて一般階３に対するかご呼びの一時禁止状態を続ける。
【００７１】
このように、かご４が特定利用者のかご呼びに応答するまでは、一般階３に対するかご呼びが登録できず、出発できない状態とする事で、特定利用者が一般利用者と乗合わせることを極力防止する事ができる。
【００７２】
また、たとえかご４が特定階２へ出発後に一般階３に対するかご呼びが登録されたとしても、特定階２に応答した時点においては、該当かご４には特定利用者のみがいることになる。したがって、特定階２に対する安全性をより一層向上できる。
【００７３】
なお、本発明は上述した各実施形態に限定されるものではない。  
例えば、割当制御部１１は、特定利用者の乗場呼びをかご４に割当てた時点で、該当かご４に対する一般利用者の乗場呼び及び他の特定利用者の乗場呼びの割当を禁止する。また、該当かご４の単体制御部１２は、該当かご４を、この時点で割当てられている全ての乗場呼び及びかご呼びに応答させたのち、特定利用者の乗場呼びに応答させ、かつ新たに発生したかご呼びに応答させることも可能である。このようにすることにより、特定利用者は、他の特定利用者を含む他の利用者と同一かごに乗合わせることなく目的とする特定階２にたどり着くことが可能となる。
【００７４】
さらに、特定利用者は、カードリーダ７で、乗場呼びと特定階２を行き先とするかご呼びとを同時に登録することも可能である。この場合、特定利用者が乗場呼びに応答したかご４に乗込むと、特定階２に対するかご呼び禁止状態が自動解除されて、かご４は自動的に指定された特定階２へ出発する。したがって、この場合、個人認証装置１０は不要である。
【図面の簡単な説明】
【００７５】
【図１】本発明の第１実施形態に係わるエレベータの群管理制御装置が組込まれたエレベータシステムが設置されるビルの構成図
【図２】同実施形態のエレベータシステムにおける各エレベータのかごの構成図
【図３】同実施形態に係わるエレベータの群管理制御装置の概略構成図
【図４】同エレベータの群管理制御装置に組込まれた割当制御部における各乗場呼びの割当動作を示す流れ図
【図５】同エレベータの群管理制御装置に組込まれた各単体制御部におけるかごに対する制御動作を示す流れ図
【図６】本発明の第２実施形態に係わるエレベータの群管理制御装置の概略構成図
【図７】同エレベータの群管理制御装置に組込まれた割当制御部における各乗場呼びの割当動作を示す流れ図
【図８】同エレベータの群管理制御装置に組込まれた各単体制御部におけるかごに対する制御動作を示す流れ図
【符号の説明】
【００７６】
１…ビル、２…特定階、３…一般階、４…かご、５…乗場呼びボタン、６…応答予告灯、７…カードリーダ、８…戸（扉）、９…かご呼びボタン、１０…個人認証装置、１１…割当制御部、１２…単体制御部、１３…特定利用割当部、１４…一般利用割当部、１５…一般呼び優先割当部、１６…特定かご呼び禁止部、１７…特定かご呼び禁止解除部、１８…かご呼び応答優先部、１９…一般かご呼び優先部、２０…割当制限部、２１…一般かご呼び一時停止部
【図１】
2006264843.tif 000003
【図２】
2006264843.tif 000004
【図３】
2006264843.tif 000005
【図４】
2006264843.tif 000006
【図５】
2006264843.tif 000007
【図６】
2006264843.tif 000008
【図７】
2006264843.tif 000009
【図８】
2006264843.tif 000010